(57)【特許請求の範囲】
【請求項１】
電源兼信号線を介して火災受信機等の受信部に中継器が接続され、上記中継器が被制御機器に対する制御内容を記憶し、上記中継器に関する上記被制御機器に対する制御内容を上記受信部が記憶し、一方、上記電源兼信号線の電圧を測定することによって上記受信部が短絡を検出し、この短絡を検出した後に、上記電源兼信号線への電源供給を上記受信部が遮断し、所定時間間隔で電源を再供給し、上記受信部が短絡を検出しなくなったときに、上記電源兼信号線へ継続的に電源を供給する火災報知設備において、
上記短絡検出して電源供給を遮断し、その後、継続的に電源を供給することとなったときに、上記電源供給停止前に上記受信部が記憶していた上記被制御機器に対する制御内容を、上記受信部が上記中継器に送出し、この送出された制御内容を上記中継器が取り込むことを特徴とする火災報知設備における短絡回復後の処理装置。
【請求項２】
請求項１において、
上記中継器が上記被制御機器に対する制御内容を上記受信部から取り込んだ後に、上記取り込んだ被制御機器に対する制御内容と、上記受信部が記憶している上記被制御機器に対する制御内容とを照合することを特徴とする火災報知設備における短絡回復後の処理装置。
【請求項３】
請求項１または請求項２において、
上記中継器が上記被制御機器に対する制御内容を上記受信部から取り込んだ後に、上記取り込んだ制御内容を上記中継器が実行することを特徴とする火災報知設備における短絡回復後の処理装置。
【請求項４】
請求項１〜請求項３のいずれか１項において、
上記被制御機器に対する制御内容は、主音響鳴動、地区音響鳴動、防排煙機器の起動のうち、少なくとも１つに関する制御内容であることを特徴とする火災報知設備における短絡回復後の処理装置。
【請求項５】
電源兼信号線を介して火災受信機等の受信部に火災感知器が接続され、上記火災感知器が所定情報を記憶し、上記火災感知器が記憶している情報を上記受信部が記憶し、一方、上記電源兼信号線の電圧を測定することによって上記受信部が短絡を検出し、この短絡を検出した後に、上記電源兼信号線への電源供給を上記受信部が遮断し、所定時間間隔で上記電源兼信号線へ電源を再供給し、上記受信部が短絡を検出しなくなったときに、上記電源兼信号線へ継続的に電源を供給する火災報知設備において、
上記短絡検出して電源供給を遮断し、その後、継続的に電源を供給することとなったときに、上記電源供給停止前に上記火災感知器が記憶していた情報を、上記受信部が上記火災感知器に送出し、上記火災感知器が上記送出された情報を取り込むことを特徴とする火災報知設備における短絡回復後の処理装置。
【発明の詳細な説明】
【０００１】
【発明の属する技術分野】
本発明は、火災報知設備における短絡回復後の処理装置に関するものである。
【０００２】
【従来の技術】
従来、火災受信機と端末機器とを信号線で接続し、その信号線を介してデジタル信号によって、所定情報を火災受信機と端末機器との間で送受信する火災報知設備が知られている。
【０００３】
この従来例において、火災受信機の送信回路でＨ信号（たとえば３５Ｖ）とＬ信号（たとえば２０Ｖ）とを発生し、このＨ信号とＬ信号とを組み合わせることによってデジタル信号を発生し、端末機器に送出する。これと同様に、端末機器の送信回路においても、Ｈ信号（たとえば３５Ｖ）とＬ信号（たとえば２０Ｖ）とを発生し、このＨ信号とＬ信号とを組み合わせることによってデジタル信号を発生し、火災受信機に送出する。なお、上記信号線は２本で構成され、１本の信号線がホット側、残りの１本の信号線がアース側であり、ホット側とアース側との間にツェナーダイオードとスイッチングトランジスタとの直列回路が接続されている。そして、スイッチングトランジスタがオフすれば、ホット側は３５Ｖになり、Ｈ信号が信号線に出力され、スイッチングトランジスタがオンすれば、ホット側はツェナーダイオードで規制される２０Ｖになり、Ｌ信号が信号線に出力される。
【０００４】
【発明が解決しようとする課題】
上記従来例において、端末機器の送信回路に設けられているスイッチング回路が故障してオン状態を継続していた場合には、火災受信機の受信回路から見れば、その受信機の入力信号は常にＬ信号である場合と同じ判別結果になり、端末機器が実際にＬ信号を送出しているのか、または端末機器の送信回路におけるスイッチング回路が故障しているのかを判別することができず、この状態を放置すると、上記トランジスタと直列に接続されているツェナーダイオードに過電流が流れる時間が長くなり、無駄な電力を消費し、また、そのツェナーダイオードが破壊されることがあるという問題がある。
【０００５】
本発明は、端末機器の送信回路を構成するトランジスタが異常によって短絡状態に達したことを検出することができる火災報知設備における伝送異常検出装置を提供することを目的とするものである。
【０００６】
ところで、火災受信機と中継器とを接続する信号線に、短絡等の伝送異常が生じた場合には、一旦、電源を切り、その後、１分経過毎に電源を投入し、短絡回復していれば、電源投入を継続する。これによって一過性の短絡による障害を取り除くようにしている。この場合、中継器に設けられているＲＡＭには被制御機器を制御する制御内容が記憶されているが、電源を切っているので、この電源切断によって、ＲＡＭに保持されていた制御内容の情報は一瞬にして消失する。このようにＲＡＭに保持されていた制御内容の情報が消失すると、中継器が被制御機器の制御を途中で停止してしまうという問題がある。
【０００７】
本発明は、電源兼信号線の短絡によって火災受信機が中継器等の端末機器への電源供給が停止され、端末機器が短絡前に保持していた情報を、短絡回復後に迅速に取り込むことができる火災報知設備における短絡回復後の処理装置を提供することを目的とするものである。
【０００８】
【課題を解決するための手段】
本発明は、電源兼信号線を介して受信部に中継器が接続され、中継器が被制御機器に対する制御内容を記憶し、中継器に関する被制御機器に対する制御内容を受信部が記憶し、一方、電源兼信号線の電圧を測定することによって受信部が短絡を検出し、この短絡を検出した後に、電源兼信号線への電源供給を受信部が遮断し、所定時間間隔で電源を再供給し、受信部が短絡を検出しなくなったときに、電源兼信号線へ継続的に電源を供給する火災報知設備において、短絡検出して電源供給を遮断し、その後、継続的に電源を供給することとなったときに、電源供給停止前に受信部が記憶していた被制御機器に対する制御内容を、受信部が中継器に送出し、この送出された制御内容を中継器が取り込むものである。
【０００９】
【発明の実施の形態および実施例】
図１は、本発明の一実施例を示すブロック図である。
【００１０】
図１において、火災受信機ＲＥと端末機器Ｔとは、一対の電源兼信号線Ｌ１、Ｌ２とで接続されている。なお、端末機器Ｔは、中継器または火災感知器等の端末機器であり、１つの火災受信機ＲＥに複数の端末機器Ｔが接続される。
【００１１】
火災受信機ＲＥは、マイクロコンピュータＭＰＵ１と、定電圧回路ＡＶＲ１１、ＡＶＲ１２と、定電流回路ＣＣと、トランジスタＴｒ１１、Ｔｒ１３、Ｔｒ１４、Ｔｒ１５、Ｔｒ１７、Ｔｒ１８と、コンパレータＣＭ１、ＣＭ２、ＣＭ３と、ツェナーダイオードＺＤ１１、ＺＤ１２、ＺＤ１３とを有する。
【００１２】
定電圧回路ＡＶＲ１１は、たとえば３４Ｖの定電圧（Ｈ信号供給電圧）を供給し、定電圧回路ＡＶＲ１２は、たとえば２１Ｖの電圧を（Ｌ電圧供給電圧）供給する。
【００１３】
定電流回路ＣＣは、端末機器Ｔが火災受信機ＲＥに信号を返送するタイミング時に、トランジスタＴｒ１１がオンすることによって、定電圧回路ＡＶＲ１１から端末機器Ｔに必要な電源を供給するために一定の値で電流を流す回路であり、つまり信号返送時に端末機器Ｔへの電流を制限する回路である。この定電流回路ＣＣが端末機器Ｔへ定電流を流すことによって、端末機器Ｔからの信号返送時に、電源兼信号線Ｌ１、Ｌ２の線路抵抗による電圧降下を規制し、したがって、端末機器ＴのトランジスタＴｒ２２がオンしたときに、ツェナーダイオードＺＤ２２とトランジスタＴｒ２２とを保護するものである。
【００１４】
トランジスタＴｒ１３、Ｔｒ１７は、Ｈ電圧信号を送出するときにオンし、端末機器Ｔからの信号返送タイミング時にオンするスイッチング回路である。トランジスタＴｒ１４、Ｔｒ１８は、火災受信機ＲＥが端末機器にＬ電圧信号を送出するときにオンされるスイッチング回路であり、それがオンしたときに、定電圧回路ＡＶＲ１２の出力電圧（Ｌ電圧信号）を端末機器Ｔに供給するものである。
【００１５】
コンパレータＣＭ１は、火災受信機ＲＥ側に接続された電源兼信号線Ｌ１の電圧Ｖ１を、ツェナーダイオードＺＤ１１のツェナー電圧と比較することによって、端末機器Ｔからの返送信号（電源兼信号線の信号）がＨ電圧信号であるかＬ電圧信号であるかを判別するものである。
【００１６】
短絡検出用コンパレータＣＭ２は、火災受信機ＲＥ側に接続された電源兼信号線Ｌ１の電圧Ｖ１をツェナーダイオードＺＤ１２のツェナー電圧（たとえば１０Ｖ）と比較するものであり、電源兼信号線の電圧Ｖ１が１０Ｖのツェナー電圧よりも低ければ、電源兼信号線Ｌ１、Ｌ２が短絡していることを示す短絡信号を出力するものである。
【００１７】
インバータＩＮＶは、短絡検出用コンパレータＣＭ２が出力する短絡信号を反転させるものである。
【００１８】
伝送異常検出用コンパレータＣＭ３は、火災受信機ＲＥ側に接続された電源兼信号線Ｌ１の電圧Ｖ１をツェナーダイオードＺＤ１３のツェナー電圧（たとえば３４Ｖ）と比較するものであり、電源兼信号線の電圧Ｖ１が３４Ｖのツェナー電圧よりも低ければ、端末機器Ｔの送信回路を構成するトランジスタＴｒ２２が短絡状態にある可能性があることを判断するものである。
【００１９】
ＡＮＤ回路Ａ１は、伝送異常検出用コンパレータＣＭ３の出力信号とインバータＩＮＶの出力信号とを入力し、伝送異常検出用コンパレータＣＭ３がＨ信号を出力ししかもインバータＩＮＶもＨ信号を出力しているときに、伝送異常信号を発生する回路である。
【００２０】
端末機器Ｔは、定電圧回路ＡＶＲ２１と、マイクロコンピュータＭＰＵ２と、トランジスタＴｒ２１、Ｔｒ２２と、ツェナーダイオードＺＤ２１、ＺＤ２２とを有する。定電圧回路ＡＶＲ２１は、電源兼信号線Ｌ１、Ｌ２を介して、火災受信機ＲＥの定電圧回路ＡＶＲ１１とＡＶＲ１２とからそれぞれ、供給される３６Ｖ、２１Ｖの電圧を、端末機器Ｔ側に必要な電圧（たとえば）に変換して供給する定電圧回路である。
【００２１】
ツェナーダイオードＺＤ２１とトランジスタＴｒ２１とを有する回路は、火災受信機ＲＥから送出された信号がＨ電圧信号であるかＬ電圧信号であるかを判別する比較回路を構成する。つまり、端子ｔ２１の電圧Ｖ２がツェナーダイオードＺＤ２１のツェナー電圧以上であれば、トランジスタＴｒ２１がオンし、このオン状態を検出することによって、火災受信機ＲＥからの信号がＨ電圧信号であると判別できる。
【００２２】
トランジスタＴｒ２２は、端末機器Ｔが受信機ＲＥへＬ電圧信号を返送するためのスイッチングトランジスタであり、トランジスタＴｒ２２がオンすると、ツェナーダイオードＺＤ２２のツェナー電圧がＬ電圧信号として、端子ｔ２１、ｔ２２（電源兼信号線Ｌ１、Ｌ２）に出力される。
【００２３】
なお、端末機器Ｔが中継器である場合には、この中継器には火災感知器または防火装置、防排煙装置等が接続される。
【００２４】
次に、上記実施例の動作について説明する。
【００２５】
まず、種々の初期設定を行ない、トランジスタＴｒ１１をオンし、端末機器Ｔに信号送出する必要があれば、送出すべきビット情報を読込み、その送出すべきビットのレベルがＬであれば、トランジスタＴｒ１４をオンしトランジスタＴｒ１３をオフし、所定時間経過した後に、トランジスタＴｒ１３をオンしトランジスタＴｒ１４をオフする。一方、送出すべきビットのレベルがＨであれば、トランジスタＴｒ１４をオフし、トランジスタＴｒ１３をオンしたままにする。
【００２６】
図２は、上記実施例の動作を示すタイムチャートである。
【００２７】
レベルＨ、Ｌに関する上記動作を繰り返しながら、火災受信機ＲＥが端末機器Ｔに信号送出する送信期間Ｉ１を終了し、休止期間Ｉ２の後に、火災受信機ＲＥが端末機器Ｔからの信号を受信する受信期間Ｉ３を開始する。
【００２８】
また、上記実施例において、電源兼信号線Ｌ１、Ｌ２が短絡していると、短絡検出用コンパレータＣＭ２が、火災受信機ＲＥ側に接続された電源兼信号線Ｌ１の電圧Ｖ１をツェナーダイオードＺＤ１２のツェナー電圧（たとえば１０Ｖ）と比較しており、電源兼信号線の電圧Ｖ１が１０Ｖのツェナー電圧よりも低くなり、電源兼信号線Ｌ１、Ｌ２が短絡していることを示す短絡信号を、短絡検出用コンパレータＣＭ２が出力する。この短絡信号がＭＰＵ１のポートＰ１６に入力される。
【００２９】
次に、端末機器Ｔの送信回路を構成するトランジスタＴｒ２２が短絡することによって伝送異常を起こしている場合について説明する。
【００３０】
端末機器Ｔの送信回路を構成するトランジスタＴｒ２２が短絡すると、伝送異常検出用コンパレータＣＭ３は、火災受信機ＲＥ側に接続された電源兼信号線Ｌ１の電圧Ｖ１を、ツェナーダイオードＺＤ１３のツェナー電圧である３４Ｖと比較し、電源兼信号線の電圧Ｖ１が３４Ｖのツェナー電圧よりも低いので、伝送異常検出用コンパレータＣＭ３がＨ信号を出力する。このときに、電源兼信号線Ｌ１、Ｌ２が短絡はしていないので、コンパレータＣＭ２はＬ信号を出力し、このＬ信号がインバータＩＮＶによってＨ信号に反転され、したがって、ＡＮＤ回路Ａ１がＨ信号を出力し、つまり、ＡＮＤ回路Ａ１が伝送異常信号を出力し、この伝送異常信号がＭＰＵ１の入力ポートＰ１７に入力される。したがって、ＭＰＵ１は、端末機器Ｔの送信回路を構成するトランジスタＴｒ２２が短絡状態にあり、これによって伝送異常状態が発生していると認識できる。
【００３１】
この場合、ＭＰＵ１は、送信期間Ｉ１と受信期間Ｉ３との間である休止期間Ｉ２において、ＡＮＤ回路Ａ１から上記伝送異常信号が入力されているか否かを判断する。このように、休止期間Ｉ２で伝送異常信号の有無を判断する理由は、休止期間Ｉ２以外の期間で伝送異常信号の有無を判断するよりも、判断が容易であるからである。つまり、短絡検出回路を設けてあり、短絡状態ではないことを検出しているときには、ツェナーダイオードＺＤ１３のツェナー電圧である３４Ｖよりも電圧Ｖ１が低いことのみを検出すること（電圧Ｖ１が伝送異常電圧ＶT2であること）によって、伝送異常を検出できるからである。
【００３２】
短絡検出回路を設けていなければ、ツェナーダイオードＺＤ１３のツェナー電圧である３４Ｖよりも電圧Ｖ１が低いことの他に、デジタル信号のロー信号の許容電圧よりも高いことを検出して初めて、伝送異常を検出できる。
【００３３】
いずれにしても、上記実施例は、火災受信機と端末機器とを信号線で接続し、信号線を介してデジタル信号が伝送される火災報知設備において、火災受信機がデジタル信号を送出する送信期間Ｉ１と、端末機器からのデジタル信号を火災受信機が受信する受信期間Ｉ３との間の期間である休止期間Ｉ２において、信号線の電圧が、デジタル信号のハイ信号の許容電圧ＶH とデジタル信号のロー信号の許容電圧ＶL との間の所定の電圧を下回ること（伝送異常電圧ＶT2であること）を検出するものである。
【００３４】
また、火災受信機と端末機器とを信号線で接続し、信号線を介してデジタル信号が伝送される火災報知設備において、火災受信機がデジタル信号を送出する送信期間Ｉ１と、端末機器からのデジタル信号を火災受信機が受信する受信期間Ｉ３との間の期間である休止期間Ｉ２において、信号線の電圧が、デジタル信号のハイ信号の許容電圧ＶH とデジタル信号のロー信号の許容電圧ＶL との間の電圧（伝送異常電圧ＶT1）であることを検出するようにしてもよい。
【００３５】
なお、休止期間Ｉ２以外の期間（送信期間Ｉ１、受信期間Ｉ３）において伝送異常信号の有無を判断すようにしてもよい。つまり、信号線の電圧が、デジタル信号のハイ信号の許容電圧とデジタル信号のロー信号の許容電圧との間の電圧であるときに、伝送異常が生じていると判断するようにしてもよい。
【００３６】
また、ＭＰＵ１が、伝送異常が生じていると判断すると、伝送異常であることを、火災受信機ＲＥの図示しない表示手段に表示するとともに、トランジスタＴｒ１３、Ｔｒ１４をオフして、端末機器Ｔへの電源供給を遮断する。
【００３７】
上記実施例における火災受信機ＲＥが中継器であると考えてもよく、つまり、火災受信機ＲＥの代わりに受信部を考えてもよい。
【００３８】
図３は、本発明の他の実施例を示すブロック図である。
【００３９】
この実施例は、図１に示す実施例と基本的には同じであり、端末機器Ｔの代わりに中継器Ｃが設けられ、中継器Ｃに被制御機器ＣＭが接続されたものであり、中継器Ｃは、図１に示す端末機器ＴにインタフェースＩ／Ｆと、メモリＭとが付加されたものである。
【００４０】
図３に示す実施例は、火災受信機ＲＥと中継器Ｃとを接続する電源兼信号線Ｌ１、Ｌ２が短絡したときに、中継器Ｃへの電源供給を遮断し、その後、継続的に電源を供給することとなったときに、電源供給停止前に火災受信機ＲＥが記憶していた被制御機器ＣＭに対する制御内容を、火災受信機ＲＥが中継器Ｃに送出し、この送出された制御内容を中継器Ｃが取り込むものである。
【００４１】
次に、図３に示す実施例の動作について説明する。
【００４２】
図４は、図３に示す実施例の動作を示すフローチャートである。
【００４３】
まず、電源兼信号線Ｌ１、Ｌ２を介して火災受信機ＲＥに中継器Ｃが接続され、中継器Ｃが被制御機器ＣＭに対して制御すべき内容があれば（Ｓ１）、中継器Ｃに関する被制御機器に対する制御内容を火災受信機ＲＥが記憶し（Ｓ２）、中継器Ｃも被制御機器ＣＭに対する制御内容を記憶する。
【００４４】
その後、電源兼信号線Ｌ１、Ｌ２の電圧を測定することによって、火災受信機ＲＥが電源兼信号線Ｌ１、Ｌ２の短絡を検出すると（Ｓ３）、この短絡を検出した後に、電源兼信号線Ｌ１、Ｌ２への電源供給を火災受信機ＲＥが遮断し（Ｓ４）、１分間隔で電源を再供給、遮断を繰り返し、火災受信機ＲＥが短絡を検出しなくなったときに（Ｓ４、Ｓ５、Ｓ６）、電源兼信号線Ｌ１、Ｌ２へ継続的に電源を供給し、電源供給停止前に火災受信機ＲＥが記憶していた被制御機器ＣＭに対する制御内容を、火災受信機ＲＥが中継器Ｃに送出し（Ｓ７）、この送出された制御内容を中継器Ｃが取り込む。
【００４５】
そして、中継器Ｃが被制御機器ＣＭに対する制御内容を火災受信機ＲＥから取り込んだ後に、取り込んだ被制御機器ＣＭに対する制御内容と、火災受信機ＲＥが記憶している被制御機器ＣＭに対する制御内容とを照合し（Ｓ８）、取り込んだ制御内容を中継器Ｃが実行する（Ｓ９）。
【００４６】
したがって、図３、図４に示す実施例によれば、短絡検出して電源供給を遮断し、その後、継続的に電源を供給することとなったときに、電源供給停止前に受信部が記憶していた被制御機器に対する制御内容を、火災受信機ＲＥが中継器Ｃ等に送出し、この送出された制御内容を中継器Ｃ等が取り込むので、電源兼信号線Ｌ１、Ｌ２の短絡によって火災受信機が中継器Ｃ等の端末機器への電源供給が遮断され、短絡回復後に、端末機器が短絡前に保持していた情報を中継器Ｃ等が迅速に取り込むことができる。
【００４７】
図４に示すフローチャートにおいて、火災受信機ＲＥが記憶している被制御機器ＣＭの制御内容と中継器Ｃが取り込んだ制御内容との照合動作（Ｓ８）、取り込んだ制御内容について中継器Ｃが実行する動作（Ｓ９）のいずれか一方または両方を省略するようにしてもよい。
【００４８】
なお、被制御機器ＣＭに対する制御内容は、主音響鳴動、地区音響鳴動、防排煙機器の起動のうち、少なくとも１つに関する制御内容である。
【００４９】
また、図３に示す実施例は中継器Ｃに関するものであるが、この中継器Ｃの代わりに、火災感知器を使用してもよい。つまり、電源兼信号線を介して火災受信機ＲＥ等の受信部に火災感知器が接続され、火災感知器が所定情報を記憶し、火災感知器が記憶している情報を受信部が記憶し、一方、電源兼信号線の電圧を測定することによって受信部が短絡を検出し、この短絡を検出した後に、電源兼信号線への電源供給を受信部が停止し、所定時間間隔で電源を再供給し、受信部が短絡を検出しなくなったときに、電源兼信号線へ継続的に電源を供給する火災報知設備において、短絡検出して電源供給を遮断し、その後、継続的に電源を供給することとなったときに、電源供給停止前に火災感知器が記憶していた情報を、受信部が火災感知器に送出し、火災感知器が送出された情報を取り込むようにしてもよい。
【００５０】
【発明の効果】
本発明によれば、電源兼信号線の短絡によって火災受信機が中継器等の端末機器への電源供給が遮断され、端末機器が短絡前に保持していた情報を、短絡回復後に迅速に取り込むことができるという効果を奏する。
【図面の簡単な説明】
【図１】本発明の一実施例を示すブロック図である。
【図２】上記実施例の動作を示すタイムチャートである。
【図３】本発明の他の実施例を示すブロック図である。
【図４】図３に示す実施例の動作を示すフローチャートである。
【符号の説明】
ＲＥ…火災受信機、
Ｔ…端末機器、
Ｃ…中継器、
ＣＭ２…短絡検出用コンパレータ、
ＣＭ３…伝送異常検出用コンパレータ、
Ｔｒ２２…端末機器の送信回路を構成するトランジスタ、
Ｍ…メモリ、
ＣＭ…被制御機器。
【図１】
0003770550.tif 000002
【図２】
0003770550.tif 000003
【図３】
0003770550.tif 000004
【図４】
0003770550.tif 000005